(57)【要約】【課題】大型化に好適な導風板を備えた、空気調和機の室内機を提供する。【解決手段】空気調和機の室内機（１０）の導風板（１４）は、中空構造を有し、且つ、出力部（１６）および入力部（１８）の少なくとも一方を覆う部分が光を通す構成となっている。【選択図】図１
2019045023.tif 000002
【特許請求の範囲】
【請求項１】
空気の吹出口と、該吹出口を開閉し、且つ該吹出口から出る空気を室内に導く導風板と、室内へ光を出す出力部と、室内からの光を受ける入力部とが設けられた、空気調和機の室内機であって、
前記導風板は、室内に向いた前板部材と、該前板部材の背面側にあって前記吹出口に向いた背板部材とを有し、且つ該前板部材と該背板部材との間に中空構造が設けられており、
前記導風板は、前記出力部および前記入力部の少なくとも一方を覆う姿勢をとることができ、
前記導風板は、前記出力部および前記入力部の少なくとも一方を覆う部分が、光を通す構成であり、前記背板部材が前記前板部材よりも光透過性が高いことを特徴とする、空気調和機の室内機。
【請求項２】
前記背板部材の厚さは、前記前板部材の厚さよりも厚いことを特徴とする請求項１に記載の、空気調和機の室内機。
【請求項３】
前記背板部材は、前記出力部および前記入力部の少なくとも一方を覆う部分が、透明材料からなることを特徴とする請求項１または２に記載の、空気調和機の室内機。
【請求項４】
前記前板部材は、白色系に着色された材料からなることを特徴とする請求項１から３までの何れか１項に記載の、空気調和機の室内機。
【請求項５】
上記出力部は、空気調和機の運転情報を光出射によって室内に向けて提示する運転情報提示部であることを特徴とする請求項１から４までの何れか１項に記載の、空気調和機の室内機。
【請求項６】
上記入力部は、遠隔操作装置から送信された前記室内機の操作信号を受信する受信部であることを特徴とする請求項１から５までの何れか１項に記載の、空気調和機の室内機。
【請求項７】
前記前板部材は、透明材料からなるベース部材と、該ベース部材の室内側に向いた面に貼着された白色系のシート材とを有することを特徴とする請求項１から６までの何れか１項に記載の、空気調和機の室内機。
【発明の詳細な説明】
【技術分野】
【０００１】
本発明は、空気調和機の室内機に関する。
【背景技術】
【０００２】
従来、空気調和機の室内機（以下、室内機と称する）に設けられた運転情報を表示する表示部、及び遠隔操作のための赤外線受信部は、運転停止状態において、外観から目視可能な配置になっている。表示する運転情報として、例えば、タイマーランプのＯＮ、及びＯＦＦの区別、冷房運転、及び暖房運転等の区別、電源のＯＮ、及びＯＦＦの区別等がある。
【０００３】
しかし、室内機の運転状態時に導風板が回動した際、導風板の角度によっては、表示部が隠れてしまい、ユーザーが表示部を目視できなくなるという虞があった。また、同様の理由で赤外線受信部も導風板によって隠れて赤外線受信部の位置をユーザーが確認できなかったり、赤外線受信部が赤外線を受信できなかったりする虞があった。
【０００４】
そこで、特許文献１及び特許文献２には、一部が透明な部材で形成された室内機の導風板が開示されている。
【先行技術文献】
【特許文献】
【０００５】
【特許文献１】特開２００８−２４１０５４号公報
【特許文献２】特許第５０６２３４１号
【発明の概要】
【発明が解決しようとする課題】
【０００６】
ところで、近年、空気清浄機能を備えた室内機が開発されており、このような室内機は、大型化する傾向にある。このように、室内機が大型化した場合、それに伴って導風板も大型化する。また、冷房や暖房の範囲を広くする場合にも、風を遠くまで送れるように、大型の導風板を備えることが好ましい。
【０００７】
このような大型の導風板は、室内機の最も室内側に配置される場合が多く、室内機の外観の大部分を占めることになる。そして、大型の導風板は、室内機の吹出口から室内機の内部構造が室内側から見えることを回避するための目隠しの役目も果たす。
【０００８】
そこで、本発明の一態様は、そういった役目を果たしつつ、ユーザーが目視すべき箇所およびユーザーの指示信号を受信すべき箇所についてそれぞれの目的（機能）を妨げることを回避した導風板を備えた、空気調和機の室内機を提供することを目的としている。
【課題を解決するための手段】
【０００９】
上記の課題を解決するために、本発明の一態様に係る空気調和機の室内機は、空気の吹出口と、該吹出口を開閉し、且つ該吹出口から出る空気を室内に導く導風板と、室内へ光を出す出力部と、室内からの光を受ける入力部とが設けられた、空気調和機の室内機であって、前記導風板は、室内に向いた前板部材と、該前板部材の背面側にあって前記吹出口に向いた背板部材とを有し、且つ該前板部材と該背板部材との間に中空構造が設けられており、前記導風板は、前記出力部および前記入力部の少なくとも一方を覆う姿勢をとることができ、前記導風板は、前記出力部および前記入力部の少なくとも一方を覆う部分が、光を通す構成であり、前記背板部材が前記前板部材よりも光透過性が高い構成となっている。
【発明の効果】
【００１０】
本発明の一態様によれば、目隠しとしての役目を果たしつつ、且つ、ユーザーが目視すべき箇所およびユーザーの指示信号を受信すべき箇所について、それぞれの目的（機能）を妨げることを回避した導風板を備えた、空気調和機の室内機を提供することができる。
【図面の簡単な説明】
【００１１】
【図１】本発明の実施形態における空気調和機の室内機の外観を示す斜視図である。
【図２】本発明の実施形態における空気調和機の室内機から導風板を外した状態を示す斜視図である。
【図３】本発明の実施形態における空気調和機の室内機の出力部及び入力部を説明するための説明図である。
【図４】本発明の実施形態における空気調和機の室内機において、導風板によって出力部及び入力部が隠れることを説明するための説明図である。
【図５】本発明の実施形態における空気調和機の室内機の導風板の構造を説明するための断面図である。
【図６】本発明の他の実施形態における空気調和機の室内機に具備される導風板の構成を説明するための部分断面図である。
【図７】本発明の他の実施形態における空気調和機の室内機に具備される導風板の構成を説明するための断面図である。
【発明を実施するための形態】
【００１２】
〔実施形態１〕
本発明に係る空気調和機の室内機の一実施形態を、図面に基づいて以下に説明する。
【００１３】
図１は、本実施形態１の空気調和機の室内機１０（以下、単に室内機１０と称する）の外観を示す斜視図である。
【００１４】
（室内機１０の概要）
図１に示すように、本実施形態１の室内機１０には、その室内側前面に、大型の導風板１４が設けられている。そのため、以下において説明する導風板１４の背面側にある室内機１０の各種構成については、図１では仮想線を用いて図示する。
【００１５】
本実施形態１の室内機１０には、更に、室内に向けて空気を吹き出す吹出口３０が設けられている。吹出口３０は、室内機１０の最も室内側前面に配置された導風板１４の背後にある。言い換えれば、吹出口３０の前方に、吹出口３０を開閉し、かつ、吹出口３０から吹き出す空気を室内に導く導風板１４が設けられている。
【００１６】
また、室内機１０の最も室内側前面に配置された導風板１４の背後には、光を室内に向けて出す出力部１６と、室内側からの光を受ける入力部１８とが設けられている。
【００１７】
（出力部１６）
図２は、図１に示す室内機１０から導風板１４を外した状態の斜視図を示している。出力部１６は、図２に示す状態の室内機１０において室内側前面に設けられている。
【００１８】
出力部１６としては、光を室内に向けて出す部分であれば特に制限はないが、例えば、図３に示す運転情報提示部２４がある。以下、図３に基づいて、運転情報提示部２４（出力部１６）について説明する。
【００１９】
図３に示すように、運転情報提示部２４は、空気調和機の運転情報を光出射によって室内に向けて提示する構成を備えている。
【００２０】
運転情報提示部２４は、例えば、ＬＥＤ（発光ダイオード）により光出射することで運転情報を提示している。本実施形態１においては、運転情報提示部２４は、空気調和機の電源がＯＮ又はＯＦＦであるかを提示する第１の運転情報提示部２４ａ、空気調和機が冷房運転状態又は暖房運転状態であるかを提示する第２の運転情報提示部２４ｂ、空気調和機のタイマーがＯＮ又はＯＦＦであるかを提示する第３の運転情報提示部２４ｃにより構成されている。
【００２１】
具体的には、第１の運転情報提示部２４ａ、第２の運転情報提示部２４ｂおよび第３の運転情報提示部２４ｃは、点灯しているＬＥＤランプの色の違い、及びＬＥＤランプの消灯により運転状態を提示することができる。
【００２２】
要するに、本実施形態１の出力部１６は、光の一例である可視光線を、室内に向けて出射する構成となっている部分である。
【００２３】
しかしながら、本発明はこれに限定されるものではない。例えば、出力部１６が、いわゆる人感センサーのような赤外線センサーの赤外線出力部として機能してもよい。すなわち、この場合は、出力部１６は、光の一例である赤外線を、室内に向けて出射する構成となっている。なお、出力部１６として、先述の運転情報提示部２４に加えて、該赤外線出力部が備わっていても良い。
【００２４】
（入力部１８）
入力部１８は、図２に示す状態の室内機１０において室内側前面に設けられており、出力部１６と並んで設けられている。
【００２５】
入力部１８としては、室内から送信された光を受ける部分であれば特に制限はないが、例えば、図３に示す受信部２６がある。以下、図３に基づいて、受信部２６（入力部１８）について説明する。
【００２６】
図３に示すように、受信部２６は、室内から送信された室内機１０の操作信号を受信する部分である。本実施形態１においては、受信部２６は、空気調和機を遠隔操作するための遠隔操作装置から出力された操作信号としての赤外線を受信する。
【００２７】
要するに、本実施形態１の入力部１８は、光の一例である赤外線を、室内側から受ける構成となっている部分である。
【００２８】
入力部１８は、遠隔操作装置から出力された操作信号としての赤外線以外にも、いわゆる人感センサーのような赤外線センサーの赤外線受信部として機能してもよい。なお、この場合、入力部１８として、先述の遠隔操作装置から出力された操作信号としての赤外線の受信部に加えて、該赤外線センサーの赤外線受信部が備わっていても良い。
【００２９】
なお、入力部１８は、光を受けるものであればよく、赤外線に限定されない。
【００３０】
（導風板１４）
導風板１４は、図１に示すように、室内に向いた前板部材２０と、前板部材２０の背面側にあって、吹出口３０に向いた背板部材２２とを有し、前板部材２０と背板部材２２の間に中空部２１（図５）が設けられた中空構造を有している。
【００３１】
導風板１４は、先述のように大型で、図１に示すように、室内機１０の外観を室内側から見たときに、導風板１４以外の室内機１０の構成が概ね全体が隠れてしまうほどに、室内側前面の概ね全領域を覆うようなサイズを有している。要するに、導風板１４は、導風板１４を除く室内機１０の外観を構成する筐体の左右方向の長さ（室内機１０の横幅と称する場合もある）と同じかそれよりも長い横幅を有している。
【００３２】
更に説明すれば、導風板１４は、図１に示すように、横幅に対して垂直である方向に規定される縦幅の方向に関して緩やかに湾曲している板状体であり、凸側の面が吹出口３０に対向し、凹側の面が室内側となるように室内機１０に取り付けられている。
【００３３】
導風板１４は、例えば、導風板１４を支持する左右二箇所のアームを有する従来周知の駆動機構（図示せず）により駆動され、吹出口３０の開閉をおこなうだけでなく、吹出口３０から吹き出す空気を室内の所定の方向に導くよう姿勢を可変する構成となっている。
【００３４】
次に、導風板１４の姿勢について図４を用いて説明する。図４は、室内機１０の側面図を示している。導風板１４は、図４中の（ａ）、（ｂ）、及び（ｃ）に示すように、それぞれ異なる姿勢をとることができる。
【００３５】
具体的には、図４中の（ａ）は、空気調和機（室内機１０）の運転が停止している状態の導風板１４の位置（姿勢）を示している。運転停止状態では、導風板１４が、図１に示した吹出口３０を塞いだ姿勢をとっている。この姿勢をとっている導風板１４は、先述のように大型であるため、室内機１０の室内側前面に設けられた出力部１６及び入力部１８の設置箇所において、出力部１６及び入力部１８を覆って出力部１６及び入力部１８よりも室内側に位置している。そのため、室内にいるユーザー（図中にユーザーの目を模式的に示している）からは、出力部１６及び入力部１８を直接視認することができない。
【００３６】
また、図４中の（ｂ）は、空気調和機が冷房運転をしている状態の導風板１４の位置（姿勢）を示している。冷房運転をしている状態では、導風板１４が、図１に示した吹出口３０から吹き出す空気（冷風）を室内上方に向けて導くような姿勢をとっている。この姿勢をとっている導風板１４であっても、先述のように大型であるため、出力部１６及び入力部１８を覆っており、室内にいるユーザー（図中にユーザーの目を模式的に示している）からは、出力部１６及び入力部１８を直接視認することができない。なお、この姿勢は、あくまでも一例であり、冷房運転をしている状態において、空気（冷風）を室内下方に向けて導く姿勢をとってもよい。
【００３７】
また、図４中の（ｃ）は、空気調和機が暖房運転をしている状態の導風板１４の位置（姿勢）を示している。暖房運転をしている状態では、導風板１４が、図１に示した吹出口３０から吹き出す空気（温風）を室内板方に向けて導くような姿勢をとっている。この姿勢をとっている導風板１４であっても、先述のように大型であるため、出力部１６及び入力部１８を覆っており、室内にいるユーザー（図中にユーザーの目を模式的に示している）からは、出力部１６及び入力部１８を直接視認することができない。なお、この姿勢は、あくまでも一例であり、暖房運転をしている状態において、空気（温風）を室内上方に向けて導く姿勢をとってもよい。
【００３８】
すなわち、本実施形態１における室内機１０の場合、図４中の（ａ）〜（ｃ）に示すいずれの状態においても、出力部１６、及び入力部１８の両方が、導風板１４の背面に隠れ、ユーザーから見えない状態となっている。
【００３９】
そこで、本実施形態１に示す室内機１０は、導風板１４が、光を通す構成となっている。具体的には、本実施形態１の導風板１４は、図３に示す運転情報提示部２４から出射される可視光線を透過させ、且つ、空気調和機を遠隔操作するための遠隔操作装置から出力された操作信号としての赤外線を透過させる構成となっている。
【００４０】
これを実現するために、本実施形態１の導風板１４は、前板部材２０および背板部材２２を、運転情報提示部２４から出射される可視光線を透過させ、且つ、空気調和機を遠隔操作するための遠隔操作装置から出力された操作信号としての赤外線を透過させることができる材料から構成している。
【００４１】
具体的には、背板部材２２を無色透明の材料から構成している。また、前板部材２０を、運転情報提示部２４から出射される可視光線を透過させ、且つ、空気調和機を遠隔操作するための遠隔操作装置から出力された操作信号としての赤外線を透過させる程度に、着色した材料を用いて構成している。
【００４２】
無色透明の材料から構成される背板部材２２としては、無色透明の耐衝撃性ポリスチレン（ＨＩ−ＰＳ）を例示することができる。背板部材２２は、無色透明のＨＩ−ＰＳを射出成形することによって製造される。
【００４３】
なお、背板部材２２は、完全に無色である必要はなく、また、完全に透明である必要もないが、前板部材２０が着色材料を用いて構成されるため、無色透明の材料から構成されることが好ましい。
【００４４】
着色材料を用いて構成される前板部材２０としては、白色系のＨＩ−ＰＳを例示することができる。前板部材２０も、白色系の顔料を加えたＨＩ−ＰＳを射出成形することによって製造される。
【００４５】
なお、白色系とは、白だけでなく、ベージュなどの白色に近い色も含む。着色材料を用いて構成される前板部材２０としては、運転情報提示部２４から出射される可視光線を透過させ、且つ、空気調和機を遠隔操作するための遠隔操作装置から出力された操作信号としての赤外線を透過させることができれば、その色は特に制限はない。また、導風板１４を除く室内機１０の筐体の色と同じ色にすることができる。
【００４６】
ここで、運転情報提示部２４から出射される可視光線を透過させる点に関し、出射した可視光線を１００％透過させなくてもよい。同じく、空気調和機を遠隔操作するための遠隔操作装置から出力された操作信号としての赤外線を透過させる点に関し、遠隔操作装置から出力された赤外線を１００％透過させなくてもよい。すなわち、可視光線に関しては、ユーザーが視認できる程度の強さの可視光を透過できればよく、赤外線に関しては、図６に示す受信部２６が受信できる程度の強さの赤外線を透過できればよい。
【００４７】
勿論、導風板１４自体、すなわち背板部材２２および前板部材２０の双方、が無色透明であれば、光も赤外線も、それらの大部分を透過させることができる。しかしながら、導風板１４は、先述のように室内機１０の外観の一部を担っており、例えば、運転停止状態の際には、吹出口３０を覆って、室内側から吹出口３０が見えるのを防ぐ目隠しの役目を果たす。特に、先述のように、大型の導風板１４の場合には、導風板１４によって、室内機１０の室内側前面を広く覆い隠すことにより、室内の景観を損ねることなく、且つ、室内機１０を小さく見せる効果も奏する。
【００４８】
そこで、本実施形態１の導風板１４は、導風板１４自体を無色透明にするのではなく、背板部材２２が前板部材２０よりも光透過性が高い構成としている。このように構成することにより、そのような役目や効果を損なうことなく、且つ、光を遮断しない構成を実現している。なお、背板部材２２が前板部材２０よりも光透過性が高いとは、出力部１６の光に対する光透過性が背板部材２２が前板部材２０よりも高く、且つ受信部２６の赤外線に対する光透過性が背板部材２２が前板部材２０よりも高いことに限らず、その何れかのみであってもよい。
【００４９】
無色透明の材料から構成される背板部材２２と、着色材料から構成される前板部材２０とは、超音波溶着により接合し、これらの間に中空部２１（図５）が設けられていればよい。
【００５０】
次に前板部材２０および背板部材２２の厚さについて説明する。
【００５１】
図５は、導風板１４の縦幅に沿って切断した状態を示す断面図である。先述のように、導風板１４は、前板部材２０と背板部材２２との間に中空部２１が設けられている。
【００５２】
図５に示すように、背板部材２２は、前板部材２０よりも肉厚に形成されている（図５中の矢印で示す箇所）。
【００５３】
このように背板部材２２を前板部材２０よりも肉厚にすることにより、背板部材２２が、導風板１４自体の形状を維持する骨格としての役目を果たしつつ、光および赤外線の透過を妨げることを抑制することができる。
【００５４】
また、背板部材２２を肉厚に形成することにより、導風板１４の断熱性能を向上させることができる。冷房運転時および暖房運転時のいずれの場合でも、導風板１４を挟んで吹出口３０側と、室内側とは温度差がある。そのため、吹出口３０から吹き出す空気の温度を極力変えることなく、遠くまで送るためには、導風板１４に断熱性能が求められる。そこで、背板部材２２を肉厚に形成することにより、室内側の温度が、吹出口３０から吹き出す空気の温度に影響しない環境を作り出すことができる。
【００５５】
厚さは特に制限はないが、例えば背板部材２２の厚さは１．５〜２．０ｍｍ、前板部材の厚さは１．０〜１．５ｍｍとすることができる。また、背板部材２２の厚さは、前板部材２０よりの１〜２倍とすることができる。
【００５６】
以上のように、本実施形態１によれば、導風板１４が目隠しとしての役目を果たしつつ、ユーザーが目視すべき箇所（出力部１６）およびユーザーの指示信号を受信すべき箇所（入力部１８）についてそれぞれの目的（機能）を妨げることを回避した、空気調和機の室内機１０を提供することができる。
【００５７】
〔実施形態２〕
本発明の他の実施形態について説明する。なお、説明の便宜上、上述の実施形態１にて説明した部材と同じ機能を有する部材については、同じ符号を付記し、その説明を省略する。
【００５８】
上述の実施形態１では、背板部材２２が無色透明のＨＩ−ＰＳから構成されているが、本発明はこれに限定されるものではない。例えば、背板部材２２は、無色透明のアクリルを射出成形することによって製造することも可能である。
【００５９】
〔実施形態３〕
本発明の他の実施形態について説明する。なお、説明の便宜上、上述の実施形態１にて説明した部材と同じ機能を有する部材については、同じ符号を付記し、その説明を省略する。
【００６０】
上述の実施形態１では、背板部材２２が無色透明のＨＩ−ＰＳから構成されているが、本発明はこれに限定されるものではない。例えば、背板部材２２は、無色透明のＡＢＳ樹脂（acrylonitrile butadiene styrene copolymer）を射出成形することによって製造することも可能である。
【００６１】
〔実施形態４〕
本発明の他の実施形態について説明する。なお、説明の便宜上、上述の実施形態１にて説明した部材と同じ機能を有する部材については、同じ符号を付記し、その説明を省略する。
【００６２】
図６は、本実施形態４の室内機１０の断面図であり、図４の（ａ）に対応している。なお、図６において、導風板１４を除く室内機１０の構成は詳細を省略している。
【００６３】
上述の実施形態１の室内機１０は、導風板１４の背板部材２２自体が無色透明の材料から構成されているが、本発明はこれに限定されるものではない。本実施形態４では、導風板１４の背板部材２２における、出力部１６および入力部１８を覆う部分２２ａ、より具体的には背板部材２２における運転情報提示部２４および受信部２６を覆う部分２２ａのみが無色透明であってもよい。
【００６４】
背板部材２２における運転情報提示部２４および受信部２６を覆う部分２２ａのみを無色透明とした場合、その部分以外の部分２２ｂについては、光や赤外線の透過について考慮する必要はない。そのため、その部分以外の部分２２ｂについては、例えば、白色系の顔料を加えたＨＩ−ＰＳによって作製することができる。
【００６５】
本変形例の背板部材２２の製造方法としては、運転情報提示部２４および受信部２６を覆う部分２２ａと、それ以外の部分２２ｂとを別体で作製し、溶着接着によって接着することにより製造することができる。
【００６６】
〔変形例〕
また、本実施形態４の変形例として、背板部材２２だけでなく、前板部材２０についても、運転情報提示部２４および受信部２６を覆う部分のみを光および赤外線を透過することを考慮した材料から構成し、当該部分以外の部分についてはそれを考慮しない材料から構成してもよい。
【００６７】
なお、本変形例においても、運転情報提示部２４および受信部２６を覆う部分について、背板部材２２が前板部材２０よりも光透過性が高い構成となっている。
【００６８】
〔実施形態５〕
本発明の他の実施形態について説明する。なお、説明の便宜上、上述の実施形態１にて説明した部材と同じ機能を有する部材については、同じ符号を付記し、その説明を省略する。
【００６９】
本実施形態５と、上述の実施形態１との違いは、導風板の構成にある。
【００７０】
図７は、本実施形態５の導風板１４´の断面図であり、図５の実施形態１の導風板１４の断面図に対応している。
【００７１】
本実施形態５の導風板１４´は、凹側面に白色系のシート材２０ｂを付加している点において図５の実施形態１の導風板１４と構成が異なる。すなわち、導風板１４´の前板部材２０´が、ベース部材２０ａに、白色系のシート材２０ｂが貼り付けられてなる。
【００７２】
また、本実施形態５の導風板１４´の前板部材２０は、ベース部材２０ａを無色透明の材料から構成することができる。無色透明の材料としては、先述で例示したものを採用することができる。
【００７３】
本実施形態５によっても、実施形態１と同様に、導風板１４´が大型化しても、重量増を抑制することができ、且つ、ユーザーが目視すべき箇所およびユーザーの指示信号を受信すべき箇所について、それぞれの目的（機能）を妨げることを回避した、空気調和機の室内機１０を提供することができる。
【００７４】
白色系のシート材２０ｂとしては、ＰＥＴ、ＰＥ、あるいはＰＰから構成することできる。例えば、白色系のシート材２０ｂの厚さは０．０５〜１ｍｍとすることができる。ベース部材２０ａへの白色系のシート材２０ｂの貼着は、接着剤を用いておこなうことができる。
【００７５】
〔まとめ〕
本発明の態様１に係る空気調和機の室内機１０は、空気の吹出口３０と、吹出口３０を開閉し、且つ吹出口３０から出る空気を室内に導く導風板１４と、室内に向けて光を出す出力部１６と、室内からの光を受ける入力部１８とが設けられた、空気調和機の室内機１０であって、導風板１４は、室内に向いた前板部材２０と、前板部材２０の背面側にあって吹出口３０に向いた背板部材２２とを有し、且つ該前板部材２０と該背板部材２２との間に中空構造が設けられており、導風板１４は、出力部１６および入力部１８の少なくとも一方を覆う姿勢をとることができ、導風板１４は、出力部１６および入力部１８の少なくとも一方を覆う部分が、光を通す構成であり、背板部材２２が前板部材２０よりも光透過性が高い構成となっている。
【００７６】
上記の構成によれば、導風板１４は、室内機の目隠しとしての役割を果たしつつ、ユーザーが目視すべき箇所およびユーザーの指示信号を受信すべき箇所について、それぞれの目的（機能）を妨げることを回避した、空気調和機の室内機１０を提供することができる。
【００７７】
具体的には、導風板１４は、出力部１６および入力部１８の少なくとも一方を覆う部分が、光を通す構成となっているので、ユーザーは、光を通す構成となっている部分を通して出力部１６から出力された光（運転情報提示部２４から出射した光）を確認することができ、また、入力部１８（受信部２６）に光（赤外線）を入射させることができる。
【００７８】
一方で、導風板１４は、背板部材２２が前板部材２０よりも光透過性が高い構成となっているため、室内側から導風板１４の背後にある吹出口３０を視認することが難しい。
【００７９】
すなわち、導風板１４は、吹出口３０及びその周辺の目隠しとしての役目を果たしつつ、ユーザーが目視すべき箇所およびユーザーの指示信号を受信すべき箇所についてそれぞれの目的（機能）を妨げることを回避した導風板を備えた、空気調和機の室内機を提供することを目的としている。
【００８０】
また、導風板１４は、中空構造を有しているので、導風板１４が大型化しても、導風板１４の重量の増加を抑制することができる。そして、導風板１４を重量の増加を抑制することができるため、導風板１４を回動させる駆動機構への負担を抑制することができる。また、導風板１４を室内機１０から取り外して掃除するとき等、導風板１４を容易に取り扱うことができる。さらに、万が一、導風板１４が落下したときの衝撃を抑制することができる。
【００８１】
本発明の態様２に係る空気調和機の室内機は、上記態様１において、背板部材２２の厚さは、前板部材２０の厚さよりも厚い構成としてもよい。
【００８２】
上記の構成によれば、背板部材２２を肉厚に形成することにより、導風板１４の剛性を確保しつつ前板部材２０の厚さを薄く形成することができる。
【００８３】
また、背板部材２２を肉厚に形成することにより、導風板１４の断熱性能を向上させることができる。
【００８４】
本発明の態様３に係る空気調和機の室内機は、上記態様１から２において、背板部材２２は、出力部１６および入力部１８の少なくとも一方を覆う部分が、透明材料からなる構成としてもよい。
【００８５】
本発明の態様４に係る空気調和機の室内機は、上記態様１から３において、前板部材２０は、白色系に着色された材料からなる構成としてもよい。
【００８６】
本発明の態様５に係る空気調和機の室内機は、上記態様１から４において、出力部１６は、空気調和機の運転情報を光出射によって室内に向けて提示する運転情報提示部２４である構成としてもよい。
【００８７】
上記の構成によれば、運転情報提示部２４からの光出射が導風板１４によって妨げられることを抑制できるため、ユーザーは、空気調和機の運転情報を確認することができる。
【００８８】
本発明の態様６に係る空気調和機の室内機は、上記態様１から５において、入力部１８は、遠隔操作装置から送信された室内機１０の操作信号を受信する受信部２６である構成としてもよい。
【００８９】
上記の構成によれば、ユーザーは、受信部２６に受信される操作信号（赤外線）が導風板１４によって妨げられることを抑制できるため、空気調和機から離れていても良好に空気調和機の運転を操作することができる。
【００９０】
本発明の態様７に係る空気調和機の室内機は、上記態様１から６において、前記前板部材２０´は、透明材料からなるベース部材２０ａと、該ベース部材２０ａの室内側に向いた面に貼着された白色系のシート材２０ｂとを有する構成としてもよい。
【符号の説明】
【００９１】
１０    空気調和機の室内機
１４、１４´    導風板
１６    出力部
１８    入力部
２０、２０´    前板部材
２０ａ    ベース部材
２０ｂ    シート材
２１    中空部
２２    背板部材
２４    運転情報提示部（出力部）
２４ａ    第１の運転情報提示部（出力部）
２４ｂ    第２の運転情報提示部（出力部）
２４ｃ    第３の運転情報提示部（出力部）
２６    受信部（入力部）
３０    吹出口
【図１】
2019045023.tif 000003
【図２】
2019045023.tif 000004
【図３】
2019045023.tif 000005
【図４】
2019045023.tif 000006
【図５】
2019045023.tif 000007
【図６】
2019045023.tif 000008
【図７】
2019045023.tif 000009